(57)【要約】【課題】建造物や道路構造物の壁面や法面などの緑化に好適に用いることができる緑化構造体を提供する。【解決手段】蘇苔類植物保持体の背面にマット状の保水材が設けられ、マット状の保水材を複数に分割させ、互いを離間させておくことにより、水分を緑化構造体全体に均一に保持することができる。また、上方の保水材から下方の保水材へ水分を導く導水材を設けることによって、上方の保水材に溜まった水分を、下方の保水材へ横方向や厚み方向に均一に分散するように導水させることができる。これにより、水分を緑化構造体全体に均一に長期間保持し、蘇苔類植物に継続的に水分を供給することができるので、発芽や生育を促進することができ、蘇苔類植物が仮死することなく、ヒートアイランド現象の緩和や大気浄化機能などの緑化資材の機能を良好に発揮することができる。【選択図】      図３
2005006526.tif 000002
【特許請求の範囲】
【請求項１】
垂直面または傾斜面に設置される緑化構造体であって、蘇苔類植物が保持された蘇苔類植物保持体と、前記蘇苔類植物保持体の背面に設けられた複数に分割されるとともに上下に離間されたマット状の保水材と、上方の保水材の水を下方の保水材へ導く導水材とを有することを特徴とする緑化構造体。
【請求項２】
前記蘇苔類植物保持体は、２枚のシートの間に蘇苔類植物が挟持されるとともに人工芝葉状体が植設されたものであることを特徴する請求項１に記載の緑化構造体。
【請求項３】
シートの少なくとも１方は、水溶性繊維と非水溶性繊維とを備えたシートであることを特徴とする請求項２に記載の緑化構造体。
【請求項４】
前記蘇苔類植物保持体は、２つの繊維集合体の間に蘇苔類植物を挟み、機械的絡合手段により前記２つの繊維集合体をその繊維同士を部分的に絡ませて積層一体化するとともに、該積層体に人工芝葉状体を植設したものであることを特徴とする請求項１に記載の緑化構造体。
【発明の詳細な説明】
【０００１】
【発明の属する技術分野】
本発明は、建造物や道路構造物等の壁面や法面等を蘇苔類植物を用いて緑化するための緑化構造体に関するものである。
【０００２】
【従来の技術】
近年、都市部や道路周辺部では、ヒートアイランド現象対策や環境保全等の目的で、特に緑化が望まれている。植物による緑化効果は、ヒートアイランド現象の緩和や外観により安らぎ感を与えるだけでなく、大気汚染物質の吸収や二酸化炭素の固定化などの効果もあるとされている。
【０００３】
都市部や道路周辺部では、緑化できる場所が限られており、建造物の屋上や壁面、道路構造物の壁面や法面などを有効に利用して緑化していく必要がある。これらの場所を樹木や芝生等を用いて緑化する場合、土壌の整備や灌漑設備の整備、定期的な手入れなど様々な課題があり、制約条件も多く、施工も大掛かりになるともに初期費用や維持費用もかかる。
【０００４】
これらの解決方法として、蘇苔類植物を用いて緑化を行う提案が近年なされている。蘇苔類植物は自重も軽く、殆ど土壌を必要としないだけでなく、保水性が高いためヒートアイランド現象の緩和に効果的であり、屋上や壁面を緑化する植物として、非常に適している。また、光合成の効率も樹木や芝生と大差ないものであり、炭酸ガスの固定化にも高いレベルで貢献できる。また、蘇苔類植物は乾燥状態が続いても仮死状態となるだけで枯死することがなく、降雨などにより再度水が与えられると再生するなど、生命力も強い。
【０００５】
これらの蘇苔類植物の特性を活用し、緑化に用いるべく種々の発明が提案されてきており、シート状やマット状に蘇苔類植物を保持した担持体や、蘇苔類植物を含有した塗料を壁面や法面に吹き付けるといった方法が提案されてきている。（例えば特許文献１、２）
【０００６】
一方、蘇苔類植物は水分が少なくても枯死することがないが、全く水分がない状態では生育することができず、光合成も十分に行われないので、緑化資材としての機能を十分に果たすことができない。したがって適度な水分を保つことが必要である。その保水方法として考えられるのは、保水性の部材を植物の背面に取付け、雨水等で溜まった水を長期的に保持して、徐々に生育に用いる方法が挙げられる。保水性の部材を緑化植物の背面に取り付けてパネル化したものには、例えば、特許文献３、４などがある。
【０００７】
【特許文献１】
特開平７―２２７１４２号公報
【特許文献２】
特開平７―２２７１４３号公報
【特許文献３】
特開２００１−３２０９６８号公報
【特許文献４】
特開２００２−７７号公報
【０００８】
【発明が解決しようとする課題】
しかしながら、垂直面や傾斜面を緑化する際に、その背面に保水性の部材を取り付ける場合、保水性の部材に吸水されている水分は、重力の影響により、保水性部材の下方に溜まる傾向がある。水分が供給された直後は、保水性部材全体に水分が行き渡っているが、時間の経過とともに、水分は下方に移行し、上部は水分がなく乾いた状態になってしまう。このような状態では、保水材の上方に位置する植物には水分が常時行き渡らず、緑化資材の機能を十分に発揮できない。したがって、表面の蘇苔類植物も全体に均一に生育することができない。また、水分が保水性部材の一部に偏ることで、水分の蒸発速度が速くなり保水時間も短くなる。
【０００９】
また、保水材中の水分は基本的に重力にしたがって下方へ伝わっていくので、ある程度は毛細管現象によって横方向へ水分運ばれるものの、横幅が広いと十分に水分が拡がらず保水材の中で水分が偏在してしまい、蘇苔類植物が一様に生育しない。
【００１０】
そこで本発明は上記の如き問題点に鑑みてなされたものであり、建造物や道路構造物等の壁面や法面等の垂直面および傾斜面に適用できる蘇苔類植物を用いた緑化構造体であって、植物全体に均一に水分が行き渡り、長期にわたって保水可能な保水性能を持つ緑化構造体を提供せんとするものである。
【００１１】
【課題を解決するための手段】
上記目的を達成するために、本発明は次のような構成としている。すなわち、垂直面または傾斜面に設置される緑化構造体であって、蘇苔類植物が保持された蘇苔類植物保持体と、前記蘇苔類植物保持体の背面に設けられた複数に分割されるとともに上下に離間されたマット状の保水材と、上方の保水材の水を下方の保水材へ導く導水材とを有することを特徴とするものである。
【００１２】
本発明によれば、蘇苔類植物が蘇苔類植物保持体に保持されており、その蘇苔類植物保持体の背面にマット状の保水材が設けられることによって、降雨や水撒きなどにより緑化構造体に与えられた水を長期にわたって保水材に保持することができ、降雨や水撒きの無い期間においても蘇苔類植物に継続的に水分を供給することができる。
【００１３】
また、蘇苔類植物保持体の背面に設けられたマット状の保水材を複数に分割させ、互いを離間させておくことにより、水分を緑化構造体全体に均一に保持することができる。一つの保水材の中で水分の存在の偏りが生じた場合、面積の大きい保水材を用いていると、その保水材の中で大きな水分の存在の偏りができてしまい、水分の存在する領域と存在しない領域がはっきりと別れてしまう。水分の存在が偏ると、当然のことながら蘇苔類植物への水分補給も偏り、その生育もまばらになってしまう。
【００１４】
保水材内の水分の偏在化は、垂直面や傾斜面で特に顕著となる。すなわち、重力により水分は、保水材の下端に集まる傾向があり、水分が偏在化しやすい。したがって、保水材を複数に上下に分割し、それぞれを離間させ独立とすることで、重力による水分の偏りを分割保水材内でとどめ、緑化構造体全体の水分の偏在化を最小限とすることができるため、全体をほぼ均一に保水することができる。
【００１５】
垂直面や傾斜面に設置された保水材に保持されている水分は、大量の水分が供給された場合、過剰な水分は下端から下方に流出し、下方にある別の保水材に供給されることになる。
【００１６】
また、さらに水分の偏在化は、水平方向や厚み方向にも発生するため、この偏在化を解消するために、上方の保水材から下方の保水材へ水分を導く導水材をもうけるとよい。この導水材を設けることによって、上方の保水材に溜まった水分を、下方の保水材へ横方向や厚み方向に均一に分散するように導水させることができる。
【００１７】
保水材の上下方向の長さは、１０〜１２０ｍｍ程度とするのがよく、これ以上大きいと、保水材の内部で上下方向に水分が偏在化してしまい、水分が蘇苔類植物に均一に供給されない。また、これ以上小さいと、保水材の保水能力が低下するとともに、設置の工数がかかるため、好ましくない。
【００１８】
また、保水材の厚みも５〜１００ｍｍ程度が好ましく、これ以上厚みが大きくなると、水分が分散してしまい蘇苔類植物へ供給される水分が少なくなってしまう。また、水分の偏在化も発生しやすい。また、５ｍｍより小さくなると、保水能力が低下するため好ましくない。
【００１９】
また、前記蘇苔類植物保持体は、２枚のシートの間に蘇苔類植物が挟持されるとともに人工芝葉状体が植設されたものであることを特徴するものである。
【００２０】
本発明によれば、まず２枚のシートの間に蘇苔類植物を挟み込むことにより、蘇苔類植物をシート状に担持し、さらにこれに太陽光の入射が妨げられない程度に人工芝葉状体を植設することで、蘇苔類植物保持体を形成する。
【００２１】
蘇苔類植物を挟持するシートは、太陽光や空気、水などを十分に通すものであって、蘇苔類植物の生育を阻害するものでなければ特に限定されるものではなく、繊維シート、紙シート、樹脂シートなどであってもよい。特に繊維シートは好適であり、繊維の隙間から太陽光や水、空気などが供給され、その繊維の隙間から蘇苔類が良好に生育することができる。
【００２２】
また蘇苔類植物保持体に人工芝葉状体が蘇苔類植物保持体を貫くように植設されていることで、蘇苔類植物をシート間に強固に挟み込むことができ、シートの剥がれ、蘇苔類植物の脱落や偏りを防ぐことができる。また人工葉状体が取り付けられていることによって、外観を植物様にすることができ、外観を向上させることができる。特に、蘇苔類植物保持体の施工初期においては、蘇苔類植物は、生育が十分でないため、このように人工芝葉状体を植設することによって、施工初期から外観上も生き生きとした緑化資材を提供することができる。また、人工芝の葉状体が表面に林立していることによって、あたかも防風林のように蘇苔類植物を風雨などから保護する効果もあり、また踏み付けなどからの保護にもなる。
【００２３】
また、表面に林立している人工芝は、蘇苔類植物の生育を助ける役割も果たすことができる。林立した人工芝が表面層の空気を滞留させ、水分の蒸発を抑えて乾燥を遅くすることができたり、降雨による水を林立した人工芝で効率よく受け止めたり、水を保持することもできるため、蘇苔類植物の湿潤状態を長時間保持することができる。これにより、発芽率が向上し、また生育を促進することができる。
【００２４】
また、シートの少なくとも１方は、水溶性繊維と非水溶性繊維とを備えたシートであることを特徴とするものである。
【００２５】
シートに水溶性繊維を含ませておけば、蘇苔類植物が脱落し易い配置初期等において、シートが適度に水分を含んだ際に発現する粘着性により、蘇苔類植物がシートから脱落するのを防止することができる。また、水溶性繊維と非水溶性繊維とを含んだシートを、上面側に使用すれば、上記のようにその粘着性で脱落防止効果があるとともに、水溶性繊維を含ませているので、雨等で水溶性物質が完全に流されてしまっても、蘇苔類植物の表面にシート状に繊維が若干残り、蘇苔類植物の脱落を長期に渡り防ぐことが出来る。この時、繊維シートから水溶性繊維が消失しているので、繊維の目が適度に粗くなり、蘇苔類植物がシートの網目を通りやすくなっており、蘇苔類植物の生育を妨げない。
【００２６】
ここで用いる水溶性物質はポリビニルアルコール（ＰＶＡ）が、好適である。ポリビニルアルコールは、水溶したときに中性を示し、蘇苔類植物の生育に害を与えることが無い。
【００２７】
また、前記蘇苔類植物保持体は、２つの繊維集合体の間に蘇苔類植物を挟み、機械的絡合手段により前記２つの繊維集合体をその繊維同士を部分的に絡ませて積層一体化するとともに、該積層体に人工芝葉状体を植設したものであることを特徴とするものである。
【００２８】
２つの繊維集合体との間に蘇苔類植物を挟み込み、機械的絡合手段によって、繊維集合体の繊維同士を絡めて、その間に蘇苔類植物を固定することで、蘇苔類植物を積層一体化させて、積層体を形成することができる。このようにすれば、接着剤や粘着剤などを用いる必要もなく、また糸を用いて縫製などにより固定することもなく、蘇苔類植物が均一に分散した積層体を形成することができる。接着剤などを用いる必要がないため、薬剤から出る成分が蘇苔類植物に悪影響を及ぼす心配もなく、接着剤自身が立体的障害となったり植物どうしが接着されたりして生育が阻害される懸念もない。また、繊維以外に植物を留める糸なども必要ないことから工程が簡略となる。
【００２９】
機械的絡合手段としては、ニードルパンチや水流絡合等の手段が挙げられ、繊維同士を部分的に絡ませることができれば特に限定されるものではないが、乾燥工程を必要としないニードルパンチによる絡合が好適に用いられる。蘇苔類植物は、繊維集合体の細かい繊維が絡みながら緻密に固定されており、その脱落を良好に防ぐことができるとともに、植物の自由度も高いため、生育を阻害することがない。
【００３０】
また、前記積層体には人工芝葉状体が植設されており、外見を人工芝生のように見せることができる。また、人工芝葉状体を積層体を貫くように植設しており、積層体を強固に結合させておくことができる。さらに、人工芝が取り付けられていることによって、外観を植物様にすることができ、さらに外観を向上させることができる。また、人工芝が表面にあることによって、あたかも防風林のように蘇苔類植物を風雨などから保護する効果もあり、また踏み付けなどからの保護にもなる。
【００３１】
また、表面に林立している人工芝は、蘇苔類植物の生育を助ける役割も果たすことができる。林立した人工芝が表面層の空気を滞留させ、水分の蒸発を抑えて乾燥を遅くすることができたり、降雨による水を林立した人工芝で効率よく受け止めたり、水を保持することもできるため、蘇苔類植物の湿潤状態を長時間保持することができる。これにより、発芽率が向上し、また生育を促進することができる。
【００３２】
【発明の実施の形態】
本発明に係わる実施の形態について、図面に基づき以下に具体的に説明する。図１は、本発明の緑化用構造体の実施形態の一例を示した概略図である。
【００３３】
図１では垂直壁面２０に、蘇苔類植物保持体１１とマット状の保水材１２と、マット状保水材とともに設けられた導水材（図１には図示されていない）から構成された緑化構造体１０が取り付けられており、保水材１２は前記蘇苔類植物保持体の背面、すなわち蘇苔類保持体１１と壁面２０の間に設けられている。また、保水材１２は複数に分割され、各分割保水材は平面上に互いに離間されて設けられている。
【００３４】
図２は、緑化構造体の実施の一例を真正面から見た模式図であり、蘇苔類植物保持体の背面に取り付けられたマット状の保水材１２と導水材の位置を示すものである。
【００３５】
保水材の上下方向Ａの長さは、１０〜１２０ｍｍ程度とするのがよく、これ以上大きいと、保水材の内部で上下方向に水分が偏在化してしまい、水分が蘇苔類植物に均一に供給されない。また、これ以上小さいと、保水材の保水能力が低下するとともに、設置の工数がかかるため、好ましくない。
【００３６】
また、保水材の厚みは５〜１００ｍｍ程度が好ましく、これ以上厚みが大きくなると、水分が分散してしまい蘇苔類植物へ供給される水分が少なくなってしまう。また、水分の偏在化も発生しやすい。また、５ｍｍより小さくなると、保水能力が低下するため好ましくない。
【００３７】
離間部１５は空間となっており、その間隔は特に限定されるものではないが、大きすぎるとその部分の蘇苔類植物に水が行き渡らないことから、１０ｍｍ〜１００ｍｍ程度とするのがよい。この空間部分に、導水材が設けられる。
【００３８】
また、図３は、緑化構造体の上下方向の断面の一例を示した説明図である。壁面蘇苔類植物保持体１１の背面にマット状の保水材１２が設けられ、この保水材とともに導水材１３、１４が設けられている。導水材１３は、分割した保水材の下側に水を通さない材質のものを取付け、その底面に横方向に均等間隔に穴があけてある。その導水材１３を斜視した模式図を図４ａに示す。その導水材の底部に設けられた穴１３１を伝って、その保水材から下方の保水材へ水を滴下（ｃ）するようになされている。この導水材は、穴以外の部分は水を通さないため、その上部の保水材には水が溜まりやすくなっている。溜まった水は、横方向に均等間隔にあけられた底部の穴から下方へ少しずつ滴下され、下方の保水材全体へまんべんなく水分が供給される。
【００３９】
このとき、導水材１３の材質は、水分を通さないものであれば限定されるものではなく、アルミなどの金属や樹脂製のものが好適である。また、その形状も特に限定されるものではなく、図４ａのように断面がＬ型のものでもよいし、コの字型や曲面の樋状ものでもよいし、平板を保水材の下部に貼り付けるようにしたものでもよい。
【００４０】
また、導水材１４は壁面と保水材との間に不織布が設けられたもので、その断面を示した模式図を図４ｂに示す。不織布１４１の下端が保水材の下端より突出ｄしており、その突出した部分が折り曲げられて、不織布の下端１４２が下に設けられた保水材の中央部付近の上部にくるようにしてある。上部の保水材１２に溜まっていた水分は、この不織布１４１を伝って、下端１４２から少しずつ下部の保水材へ滴下される（ｃ）。この不織布の下端が中央部まで折り返されているので、不織布を伝ってきた水分は保水材の中央部へ滴下され、下方の保水材へ、均一に水分が供給される。
【００４１】
このとき、導水材１４の材質は不織布に限定されるものではなく、透水性の材質からなるもであればよく、好ましくは保水材よりも保水性が低いものであればよい。
【００４２】
本発明に用いる保水材の材質は水分を吸収するとともに水分を維持することのできるものであれば特に限定されるものではないが、例えば、ＰＥＴ樹脂等の樹脂製保水材、砂利や砂等の粒子状物質、グラスウールや合成繊維などの繊維状物質、シリカゲルや活性炭やゼオライトのような多孔質体、吸水性ポリマー、ポリウレタンフォーム、ポリエチレンフォーム、ゴム製スポンジ、ポロン等が好適に用いられる。
【００４３】
また、図５は、緑化構造体を構成する蘇苔類植物保持体の形態の一例を示した説明図である。また図６には、図５の蘇苔類保持体の断面図を示したものである。不織布シート３１、３３との間に、適度に裁断された蘇苔類植物３２が挟持され、蘇苔類植物を挟持した２枚のシートを貫くように人工芝葉状体３４が植設されている。
【００４４】
蘇苔類植物を挟持するシートは、不織布シートに限ったものではなく、太陽光や空気、水などを十分に通すものであって、蘇苔類植物の生育を阻害するものでなければよく、織布シート、紙シート、樹脂シートなどであってもよい。また、上面に被せるシートを水溶性繊維と非水溶性繊維とからなるものにしておいてもよい。
【００４５】
また、用いられる蘇苔類植物は、特に限定されるものではなく、設置場所によって使い分けるとよい。蘇苔類には大きく分けて、好日性、半日陰性、日陰性のものがあり、それぞれ生育に太陽光が必要なもの、太陽光があまり必要でないもの、太陽光が不要なものがある。例えば、設置方向の関係で太陽光が当たらない場所や、当たりにくい場所には、日陰性、半日陰性の蘇苔類植物を用いると良い。また、凸部の下向き斜面など、部分的に日が当たらないような設置場所においても、上向き面には、好日性のものを用い、下向き斜面には日陰性や半日陰性のものを用いればよい。例えば、スナゴケ、ハイスナゴケ、ハイゴケ等は、太陽光が当たるところで用いるとよく、シッポゴケ、カモジゴケ、トヤマシノブゴケ、ヒノキゴケ等は、日陰で用いるのがよい。
【００４６】
また、人工芝を形成するための樹脂体に用いられる樹脂は、特に限定されるものではないが、例えば、ポリプロピレン、ポリエチレン、ナイロン、ポリ塩化ビニリデン、ポリアミド、ＥＶＡ樹脂などが好適に用いられる。これらの樹脂からなる偏平な直毛状のモノフィラメント糸やスプリット糸を植設することによって、人工芝が形成される。
【００４７】
また、人工芝葉状体は生分解性樹脂からなるものを用いることもできる。人工芝を形成する材料に生分解性を有するものを用いれば、蘇苔類植物が十分に発育したときに、人工芝が消滅するようにすることもできる。蘇苔類植物が十分に発育すれば、人工芝の役割である美観性の維持や蘇苔類植物の保護、蘇苔類植物の保持などが不要になるため、このように生分解性を保持させておくとよい。
【００４８】
また、図７は、緑化構造体を構成する蘇苔類植物保持体の別の形態の一例を示した説明図であり、図８は、その断面図を示したものである。繊維集合体である不織布シート４１上に蘇苔類植物４２を載置し、さらにその上にワタ状の繊維の集合体である繊維ウェッブ４３を載置して、ニードルパンチングを行うことで上下の繊維シート４１と繊維ウェッブ４３の繊維を互いに絡め合わせて、蘇苔類植物保持体とした。さらにこの蘇苔類植物保持体を貫くように人工芝葉状体４４を植設した。
【００４９】
繊維ウェッブは、ワタ状の繊維のかたまりであって、繊維と繊維のすき間が多い。この繊維ウェッブをニードルパンチのような機械的絡合手段で押し込めば、繊維の一本一本が内部に侵入しやすく、また絡まりやすいため、比較的少ない量で好適に蘇苔類植物を固定することができる。また、すき間が大きく、繊維の使用量も比較的少ないので、蘇苔類植物の生育を阻害しにくいとともに、生育に必要な太陽光も内部の蘇苔類植物まで行き届く。
【００５０】
繊維集合体は、上記のように不織布シートや繊維ウェッブに限定されるものではない。その材質や形態は、繊維からなるものであればよく、例えば、ポリエステル、ポリアミド、ポリオレフィン、アクリル、セルロース、ポリウレタン、芳香族ナイロン、ポリベンズイミダゾール、ノボロイド等の合成繊維やそれらの複合繊維、アセテート等の半合成繊維、キュプラ、レーヨン等の再生繊維、絹、綿、羊毛等の天然繊維、またはそれらの混合繊維等からなる織布や不織布等のシート状のもの、繊維ウェッブ状のものを組み合わせて用いることができる。また、生分解性の樹脂繊維や、ポリビニルアルコールのような水溶性繊維を用いたり、上記繊維に混合して用いても良い。
【００５１】
本発明の緑化構造体は、特にその用途を限定するものではないが、例えば建造物の屋根や庇、壁面に設置したり、道路周辺の法面や壁体、防音壁や壁高欄、高架道路の橋脚、中央分離帯、歩車道分離帯、堀割道路の壁面などに取り付けてもよいし、自転車やバス停などのシェルター屋根に取り付けることもできる。
【００５２】
【発明の効果】
本発明によれば、蘇苔類植物が蘇苔類植物保持体に保持されており、その蘇苔類植物保持体の背面にマット状の保水材が設けられ、マット状の保水材を複数に分割させ、互いを離間させておくことにより、水分を緑化構造体全体に均一に保持することができる。また、上方の保水材から下方の保水材へ水分を導く導水材を設けることによって、上方の保水材に溜まった水分を、下方の保水材へ横方向や厚み方向に均一に分散するように導水させることができる。
【００５３】
本発明の緑化構造体は、特に建造物や道路構造物等の壁面や法面等の垂直面および傾斜面に好適であり、水分の偏在化を最小限にし、全体的に水分が均一とすることができる。
【図面の簡単な説明】
【図１】本発明の緑化構造体の実施の一形態を示した概略図である。
【図２】本発明の緑化構造体を正面からみた図で、マット状の保水材の配置を示した模式図である。
【図３】本発明の緑化構造体の実施の一例の上下方向の断面を示した説明図である。
【図４】本発明の導水材の実施の一例を示した模式図である。
【図５】本発明の緑化構造体に用いる蘇苔類植物保持体の実施の形態の一例を示した説明図である。
【図６】本発明の緑化構造体に用いる蘇苔類植物保持体の実施の形態の一例を示した断面図である。
【図７】本発明の緑化構造体に用いる蘇苔類植物保持体の実施の形態の一例を示した説明図である。
【図８】本発明の緑化構造体に用いる蘇苔類植物保持体の実施の形態の一例を示した断面図である。
【符号の説明】
Ａ    上下方向
ｃ    水分の移動
ｄ    突出部分
１０  緑化構造体
１１  蘇苔類植物保持体
１２  保水材
１３  導水材
１３１  穴
１４  導水材
１４１  不織布
１４２  不織布の下端
１２  保水材
１５  離間部（空間）
３１  不織布シート
３２  蘇苔類植物
３３  不織布シート
３４  人工芝葉状体
４１  不織布シート
４２  蘇苔類植物
４３  繊維ウェッブ
４４  人工芝葉状体
【図１】
2005006526.tif 000003
【図２】
2005006526.tif 000004
【図３】
2005006526.tif 000005
【図４】
2005006526.tif 000006
【図５】
2005006526.tif 000007
【図６】
2005006526.tif 000008
【図７】
2005006526.tif 000009
【図８】
2005006526.tif 000010